(57)【要約】      （修正有）【課題】全周囲の遠方からの視認性に優れ、かつ使用場面に応じてマーカーをパーツ単位で使用できるゴルフボールマーカーを提供する。【解決手段】ゴルフボールマーカーは、内周面から中へ向かって突起部２２が形成された貫通孔２１を有する第１マーカー２と、付け根側より先端側の第１部分３１１の直径が、突起部で形成される内周の直径より大きくかつ貫通孔の直径より小さく、第１部分以外の直径が突起部で形成される内周の直径より小さいピン部３１を有する第２マーカー３と、を有し、第１マーカーの高さが第２マーカーのピン部を除いた高さよりも大きく構成される。【選択図】図１Ｂ
0003191232.tif 000002
【実用新案登録請求の範囲】
【請求項１】
内周面から中へ向かって突起部が形成された貫通孔を有する第１マーカーと、
付け根側より先端側の第１部分の直径が、前記突起部で形成される内周の直径より大きくかつ前記貫通孔の直径より小さく、前記第１部分以外の直径が前記突起部で形成される内周の直径より小さいピン部を有する第２マーカーと、を有し、
前記第１マーカーの高さが前記第２マーカーの前記ピン部を除いた高さよりも大きく構成されるゴルフボールマーカー。
【請求項２】
前記突起部が、前記貫通孔の天面側に形成される、請求項１に記載のゴルフボールマーカー。
【請求項３】
前記突起部が、前記貫通孔の中間部に形成される、請求項１に記載のゴルフボールマーカー。
【請求項４】
前記突起部が、前記貫通孔の天面側と中間部の２箇所に形成される、請求項１に記載のゴルフボールマーカー。
【請求項５】
前記第１部分が、前記ピン部の先端部にあり、第１部以外の部分から第１部へ向かうに従って直径が徐々に増加する、請求項１〜４のいずれか１項に記載のゴルフマーカー。
【請求項６】
前記第１部分が、前記ピン部の中間部から先端部の間にある、請求項１〜４のいずれか１項に記載のゴルフマーカー。
【請求項７】
前記貫通孔のうち、少なくとも前記突起部が、樹脂製である、請求項１〜６のいずれか１項に記載のゴルフマーカー。
【請求項８】
前記貫通孔のうち、少なくとも前記突起部が、ゴムまたはエラストマー製である、請求項１〜６のいずれか１項に記載のゴルフマーカー。
【請求項９】
前記ピン部のうち、少なくとも第１部分が、樹脂製である、請求項１〜８のいずれか１項に記載のゴルフマーカー。
【請求項１０】
前記ピン部のうち、少なくとも第１部分が、ゴムまたはエラストマー製である、請求項１〜８のいずれか１項に記載のゴルフマーカー。
【請求項１１】
前記第２マーカーの天面が、凹部を有する、請求項１〜１０のいずれか１項に記載のゴルフマーカー。
【請求項１２】
前記第２マーカーの天面が、凸部を有する、請求項１〜１０のいずれか１項に記載のゴルフマーカー。
【請求項１３】
前記第２マーカーの天面が、凹凸部を有する、請求項１〜１０のいずれか１項に記載のゴルフマーカー。
【請求項１４】
前記第１マーカーは、底部から延設される第１マーカーピンをさらに有する、請求項１〜１３のいずれか１項に記載のゴルフマーカー。
【請求項１５】
前記第１マーカーに前記第２マーカーを挿入した場合に、前記ピン部先端が、前記第１マーカーの前記貫通孔より突出する、請求項１〜１４のいずれか１項に記載のゴルフマーカー。
【請求項１６】
前記第１マーカーに前記第２マーカーを挿入した場合に、前記ピン部先端が、前記第１マーカーの前記貫通孔より突出し、かつ前記第１マーカーピン先端より突出しない、請求項１４に記載のゴルフマーカー。
【考案の詳細な説明】
【技術分野】
【０００１】
本考案は、ゴルフボールのマーカーに関する。
【背景技術】
【０００２】
ゴルフでは、グリーン上のゴルフボールをマーキングするときにマーカーを使用する。このマーカーは種々のものがある。例えば、特許文献１のマーカーは、土の上に載置されるマーカー部と土に差し込まれる差込ピン部とからなる。特許文献２のマーカーは、円盤部分と突起部分とからなる。特許文献１のマーカー部と特許文献２の円盤部分はいずれも薄く平坦であり、高さ方向サイズが小さいため、遠方からの視認性に劣るものであった。
【０００３】
一方、特許文献３は、遠方からの視認性がよくなるように、同じ形状のマーカー同士を上下方向に積み重ねた構成である。具体的には、平板部の上面に形成された嵌着孔に、平板部の中央から垂設された軸部の先端嵌着部が嵌着孔に嵌着されることで複数のマーカーが高さ方向に延設される。
【先行技術文献】
【特許文献】
【０００４】
【特許文献１】特開２０００−７０４２２号公報
【特許文献２】特開平１１−３０９２２８号公報
【特許文献３】特開２００３−３０５１４４号公報
【考案の概要】
【考案が解決しようとする課題】
【０００５】
本考案は、上記現状に鑑みてなされたものであって、全周囲の遠方からの視認性に優れ、かつ使用場面に応じてマーカーをパーツ単位で使用できるゴルフボールマーカーを提供することを目的とする。
【課題を解決するための手段】
【０００６】
上記課題を解決するための本考案は、内周面から中へ向かって突起部が形成された貫通孔を有する第１マーカーと、付け根側より先端側の第１部分の直径が、前記突起部で形成される内周の直径より大きくかつ前記貫通孔の直径より小さく、前記第１部分以外の直径が前記突起部で形成される内周の直径より小さいピン部を有する第２マーカーと、を有し、前記第１マーカーの高さが前記第２マーカーの前記ピン部を除いた高さよりも大きく構成されるゴルフボールマーカーである。
【０００７】
この構成によれば、高さ方向のサイズが大きいので、全周囲の遠方からの視認性に優れ、かつ使用場面に応じてマーカーをパーツ単位で使用できる。例えば、嵩高いマーカーが邪魔なときは、高さ方向のサイズが小さい第２マーカーのみを使用する。また、嵩高いマーカーのみを使用することができる。また、第１マーカーの貫通孔に第２マーカーのピン部を挿入させる簡単な構造とすることで、２パーツの重ね合わせを簡単にでき、両者間の横ズレを防止し、持ち運び性に優れたものとなっている。また、ピン部を貫通孔に挿入するときには、ピン部の第１部分が貫通孔内の突起部を乗り越えることで完全に挿入される。一方、第２マーカーを第１マーカーから取り外すときは、第２マーカーを下に向け、第２マーカーを下に向けた時、重力により第２マーカーが第１マーカーから離れるが、第１部分が突起部に当たるため第２マーカーの落下が停止する。その後、第２マーカーを手で引っ張ることで、第１部分が突起部を乗り越えて第２マーカーを第１マーカーから取り外せる。このように第２マーカーが第１マーカーから離れることで、第２マーカーを簡単に手で掴むことができ、取り外し動作を簡単に行える。
【０００８】
上記考案の一実施形態として、前記突起部が、前記貫通孔の天面側に形成される。この構成とピン部の第１部分がその先端にあるときの組み合わせにおいて、第２マーカーを下に向けた時に第２マーカーが第１マーカーから離れる距離が大きくなり、手で掴むことがより簡単になる。
【０００９】
上記考案の一実施形態として、前記突起部が、前記貫通孔の中間部に形成される。
【００１０】
上記考案の一実施形態として、前記突起部が、前記貫通孔の天面側と中間部の２箇所に形成される。この構成では、第２マーカーを第１マーカーへ挿入した時に、第１部分が２箇所の突起部を乗り越えて挿入される。一方、第２マーカーを下に向けた時に、第１部分が２箇所の突起部と当たることで、第２マーカーと第１マーカーとの着脱動作をより慎重に行える。
【００１１】
上記考案の一実施形態として、前記第１部分が、前記ピン部の先端部にあり、第１部以外の部分から第１部へ向かうに従って直径が徐々に増加する。この構成によれば、ピン部を側面視したときバット形状になる。
【００１２】
上記考案の一実施形態として、前記第１部分が、前記ピン部の中間部から先端部の間にある。この構成により、ピン部付け根側に第１部分を設けるよりも、第２マーカーを下に向けたときに第２マーカーが第１マーカーから離れる距離を大きくできる。
【００１３】
上記考案の一実施形態として、前記貫通孔のうち、少なくとも前記突起部が、樹脂製である。貫通孔または第１マーカー全体が樹脂製であることがより好ましい。
【００１４】
上記考案の一実施形態として、前記貫通孔のうち、少なくとも前記突起部が、ゴムまたはエラストマー製である。貫通孔または第１マーカー全体がゴムまたはエラストマー製であってもよい。ゴム材料としては、例えば、天然ゴミ、合成ゴムが挙げられ。合成ゴムとして、例えば、アクリルゴム、ニトリルゴム、イソピレンゴム、ウレタンゴム、エチレンプロピレンゴム、シリコーンゴムなどが挙げられる。合成ゴムは１種もしくは２種以上が含まれていてもよい。エラストマー材料は、特に制限されない。
【００１５】
上記考案の一実施形態として、前記ピン部のうち、少なくとも第１部分が、樹脂製である。ピン部または第２マーカー全体が樹脂製であることがより好ましい。
【００１６】
上記考案の一実施形態として、前記ピン部のうち、少なくとも第１部分が、ゴムまたはエラストマー製である。ピン部または第２マーカー全体がゴムまたはエラストマー製であってもよい。ゴム材料としては、例えば、天然ゴミ、合成ゴムが挙げられ。合成ゴムとして、例えば、アクリルゴム、ニトリルゴム、イソピレンゴム、ウレタンゴム、エチレンプロピレンゴム、シリコーンゴムなどが挙げられる。合成ゴムは１種もしくは２種以上が含まれていてもよい。エラストマー材料は、特に制限されない。
【００１７】
突起部および／または第１部分を樹脂製にすることで、突起部または第１部分の撓みを生じやすくし、表面摩擦も小さいので、第１部分と突起部との摩擦抵抗を小さくし、第１部分が突起部を乗り越えやすくできる。また、突起部および／または第１部分をゴム製またはエラストマーにすることで、突起部または第１部分の撓みや弾性変形を生じやすくし、第１部分が突起部を乗り越えやすくできる。
【００１８】
上記考案の一実施形態として、前記第２マーカーの天面が、凹部を有する。この構成によれば、第２マーカーの天面を指でその上から押し付け、第２マーカー（および第１マーカー）を地面に載置した後で、指を第２マーカーの天面から簡単に離すことができる。例えば、指に汗や水分が付着している時に、指と第２マーカーの天面が(平面)くっ付いて離れにくくなるが、天面に凹部を設けることで指が離れ易くなる。
【００１９】
上記考案の一実施形態として、前記第２マーカーの天面が、凸部を有する。この構成によれば、上記と同様に、指がくっ付くことなく第２マーカーの天面から自然に離れる。
【００２０】
上記考案の一実施形態として、前記第２マーカーの天面が、凹凸部を有する。の構成によれば、上記と同様に、指がくっ付くことなく第２マーカーの天面から自然に離れる。
【００２１】
上記考案の一実施形態として、前記第１マーカーは、底部から延設される第１マーカーピンをさらに有する。第１マーカーピンを地面に押し込むことで、第１マーカーを地面に確実に載置できる。第１マーカーピンの長さは、例えば１ｍｍ〜１５ｍｍであり、３ｍｍ〜１０ｍｍが好ましい。第１マーカーピンは、例えば１本以上であり、２本が好ましい。
【００２２】
上記考案の一実施形態として、前記第１マーカーに前記第２マーカーを挿入した場合に、前記ピン部先端が、前記第１マーカーの前記貫通孔より突出する。第１マーカーピンがないときに、ピン部を地面に押し込むことで、第１マーカーおよび第２マーカーを地面に確実に載置できる。第１マーカーピンがあるときは、第１マーカーピンとピン部の両方を地面に押し込むことでより確実に第１マーカーおよび第２マーカーを載置できる。
【００２３】
上記考案の一実施形態として、前記第１マーカーに前記第２マーカーを挿入した場合に、前記ピン部先端が、前記第１マーカーの前記貫通孔より突出し、かつ前記第１マーカーピン先端より突出しない。ピン部の長さを必要以上に長くすると、ピン部が折れ曲がったり、変形をするため好ましくないからである。
【００２４】
本考案において、第１マーカーの形状は特に制限されないが、例えば、台錐、多角錐や、その正面視で矩形、円形、多角形でもよく、その貫通孔の中心軸に沿った垂直断面の形状が、台形、階段形状、ピラミッドの垂直断面の形状でもよく、動物を真似た形状、自然物を真似た形状でもよい。
【００２５】
本考案において、第１マーカーの貫通孔の形状は円柱が好ましい。また、貫通孔が、第１マーカーの平面視で中心あるいは重心を通ることが好ましい。
【００２６】
上記考案の一実施形態として、第１マーカーの高さが、第２マーカーの前記ピン部を除いた高さよりも１．５倍以上が好ましく、２倍以上がより好ましく、３倍以上がさらに好ましい。第２マーカーを第１マーカーに挿入した状態で、地面に置いたときの地面からの最大の高さは、マーカー機能、持ち運び性、製造コストの観点から、１００ｍｍ以下であり、５０ｍｍ以下が好ましく、３０ｍｍ以下がより好ましく、例えば、１０ｍｍ、２０ｍｍが例示される。
【００２７】
上記考案の一実施形態として、地面に置いたときの地面からの第１マーカーの高さ（第１マーカーピン部を除く）は、例えば、５ｍｍ、８ｍｍ、１０ｍｍ、１５ｍｍ、２０ｍｍ、２５ｍｍ、３０ｍｍが挙げられる。このときの第２マーカーのピン部を除いた高さが、第１マーカーの高さより小さくて、例えば、１．０ｍｍ、１．５ｍｍ、２．０ｍｍ、２．５ｍｍ、３．０ｍｍ、３．５ｍｍなどが挙げられる。
【図面の簡単な説明】
【００２８】
【図１Ａ】実施形態１のボールマーカー（連結状態）を示す図である。
【図１Ｂ】実施形態１の第１マーカー、第２マーカーを示す図である。
【図１Ｃ】実施形態２のボールマーカー（連結状態）を示す図である。
【図２Ａ】実施形態１において、第２マーカーを下に向けた状態を示す図である。
【図２Ｂ】実施形態２において、第２マーカーを下に向けた状態を示す図である。
【図３】別例の第１マーカーを示す図である。
【図４】別例の第２マーカーを示す図である。
【図５】別例の突起部を示す図である。
【図６】第２マーカーの天面の例を示す図である。
【考案を実施するための形態】
【００２９】
（実施形態１）
実施形態１のボールマーカーについて図面を用いて説明する。図１Ａは、連結した状態のボールマーカー１を示し、図１Ｂは、第１マーカー２（断面図）、第２マーカー３（側面図）をそれぞれ示す。図１Ｂにおいて、ボールマーカー１は、貫通孔２１が形成された第１マーカー２と、貫通孔２１に挿入配置されるピン部３１を有する第２マーカー３とが連結されている。第１マーカー２の貫通孔２１の内部には、内周面から中へ向かって複数の突起部２２が形成されている（図１Ｂ参照）。第１マーカー２、第２マーカー３はいずれもプラスチック樹脂製で構成できる。
【００３０】
第１マーカー２は、６つの直径の異なる円柱形状が積層されたような形状である。第１マーカー２の内部は空洞部分とフレーム部分とで構成させている（不図示）。第２マーカー３の本体部３０は平たんなコイン状（薄い円柱形状）であり、本体部３０の中心から延びるピン部３１を有する。本体部３０の天面は平面である。
【００３１】
第２マーカー３のピン部３１は、その付け根側より先端側の第１部分３１１の直径が、突起部２２で形成される内周の直径より大きくかつ貫通孔２１の直径より小さく、第１部分３１１以外の直径が突起部２２で形成される内周の直径より小さい。すなわち、第１部分３３１と突起部２２との引っ掛かりによって、第１マーカー２と第２マーカー３が連結される。
【００３２】
図１Ａ，１Ｂにおいて、突起部２２は、貫通孔２１の内周面に複数個形成されている。なお、図１Ａ，１Ｂでは、貫通孔２１の内周面に沿って１個の突起部を形成していてもよい。
【００３３】
第１マーカー２の高さＨ１が１０ｍｍ（あるいは１００ｍｍ以内）であり、第２マーカー３のピン部３１を除いた高さＨ２が２．０ｍｍ（あるいは１．０ｍｍ〜２０．０ｍｍ以内）である。図１Ａにおいて、ピン部３１が貫通孔２１に挿入されたときに、ピン部３１の先端が貫通孔２１から突出せずに、貫通孔２１内部に配置される。
【００３４】
第１マーカーピン２６は、第１マーカー２の底部から延設される。図１Ａ，１Ｂにおいて、第１マーカーピン２６は２個であるが、２個に限定されず、例えば１、３、４個などでもよい。１個の場合に、貫通孔２１の出口から延設された形状のピンでもよい。
【００３５】
図１Ａでは、第２マーカー３の幅（円の直径）と、第１マーカー２の上部２３の幅（円の直径）が同じ大きさに形成しているが、これに制限されず、第２マーカー３の幅（円の直径）が第１マーカー２の上部２３の幅（円の直径）よりも大きくてもよく、小さくてもよい。図１Ｂにおいて、貫通孔２１のピン部３１の入口部２３１は、ピン部３１の挿入を容易にすべくＲ形成あるいはテーパー形成されている。
【００３６】
図２Ａは、第２マーカー３を下にした状態を示す。第２マーカー３を下に向けた時、重力により第２マーカー３が第１マーカー２から離れ、第１部分３１１が突起部２２に当たり第２マーカー３が完全に外れない。第２マーカー３を手で引っ張ることで、第１部分３１１が突起部２２を乗り越える。このように第２マーカー３を下にすれば、第２マーカー３を簡単に手で掴むことができ、第１マーカー２から第２マーカー３を簡単に取り外しできる。
【００３７】
図２Ｂは、突起部が貫通孔２１の長さ方向に２段に分かれて形成されている例である。貫通孔２１の天面側と中間部の２箇所にそれぞれ第１突起部２２ａ、第２突起部２２ｂが形成されている。第２マーカー３を下に向けた時、重力により第２マーカー３が第１マーカー２から離れる。このとき、第１ステップ（Ｓ１）として、第１部分３１１が突起部２２ｂに当たり第２マーカー３が停止し、第２マーカー３を手で掴んで下に引っ張ることで、第２ステップ（Ｓ２）として、第１部分３１１が突起部２２ａに当たり、第２マーカー３が停止し、完全に外れない。さらに、第２マーカー３を手で掴んで下に引っ張ることで、第２マーカー３を第１マーカー２から完全に取り外しできる。
【００３８】
（別実施形態）
図１Ｃに示すように、ピン部３１の先端が貫通孔２１から突出するように構成してもよい。この実施形態では、ピン部３１の先端は、第１マーカーピン２６の先端よりも突出しない構成である。
【００３９】
また、第１マーカーの貫通孔の突起部２２をゴム材料で構成し、第２マーカーのピン部３１のうち少なくとも第１部分３１１表面をゴム材料で構成してもよい。また、第１マーカーをゴム材料で構成し、第２マーカーのピン部をゴム材料で構成してもよい。また、第１マーカー、第２マーカーのいずれか一方または両方をゴム材料で構成してもよい。
【００４０】
また、第１マーカー２の形状は、上記実施形態に限定されず、図３（ａ）のように、垂直断面が台形の、外観形状が台錘形状でもよく、図３（ｂ）のように、垂直断面が矩形の外観形状が円柱形状でもよく、図３（ｃ）のように、正面視で異形（例えば、ハート形、星形）となる、異形柱形状でもよい。第１マーカー２は、外観形状を維持できだけの肉厚を形成していればよく、部分的に空洞（肉盗み部）が形成されていてもよい。
【００４１】
また、第２マーカー３の形状は、上記実施形態に限定されず、図４（ａ）のように、ドーム形状でもよく、図４（ｂ）のように、天面の正面視が星形でもよく、図４（ｃ）のように、天面の正面視がハート形（図３（ｃ）に対応した形状）でもよい。
【００４２】
また、図５に突起部２２の形状例を示す。図５（ａ）は、貫通孔２１の長手方向に伸びる凸状の突起部２２を４個形成している。この突起部２２は例えば、１〜１６個の範囲で形成してもよい。また、貫通孔２１の長手方向に伸びる突起部２２が１個以上でもよい。図５（ｂ）に示す突起部２２は、貫通孔２１の内面周りに形成された８個の羽根形状として構成されている。図５（ｂ）において羽根形状は８個であるが、この羽根形状を１〜１６個の範囲で形成してもよい。
【００４３】
また、図６は、第２マーカー３の天面の別例について挙げる。図６（ａ）は格子状の凸形状または凹溝形状である。図６（ｂ）は鱗状の凹凸形状である。図６（ｃ）は砂状の凸形状である。図６（ｄ）は複数の突起形状である。
【符号の説明】
【００４４】
１      ボールマーカー
２      第１マーカー
２１    貫通孔
２２    突起部
２６    第１マーカーピン
３      第２マーカー
３０    本体部
３１    ピン部
３１１  第１部分
【図１Ａ】
0003191232.tif 000003
【図１Ｂ】
0003191232.tif 000004
【図１Ｃ】
0003191232.tif 000005
【図２Ａ】
0003191232.tif 000006
【図２Ｂ】
0003191232.tif 000007
【図３】
0003191232.tif 000008
【図４】
0003191232.tif 000009
【図５】
0003191232.tif 000010
【図６】
0003191232.tif 000011